(57)【要約】【課題】      簡単な構成で、手が多少不自由でも日常生活に支障がないように使用にすることができる、本の頁をめくったりやフィルムの開け口を開けるためのめくり具を提供する【解決手段】  手で握るようにした柄と、一端が柄に連結され「く」の字状に延びる連結部材と、連結部材の反柄側に取着されたゴム部材とからなり、本の場合には、手でめくり具の柄を持ち、連結部材の先端に取着されたゴム部材を本の頁の角（隅）に押し当てて、本の手元から離れた位置から手前側へ対角線状に沿ってゴム部材を移動させることによって頁をめくることができる。【選択図】    図１
2006168237.tif 000002
【特許請求の範囲】
【請求項１】
手で握るようにした柄と、一端が該柄に連結され「く」の字状に延びる連結部材と、該連結部材の反柄側に取着されたゴム部材とからなることを特徴とするめくり具。
【請求項２】
前記連結部材が９０°以上の角度をなして「く」の字状をなしていることを特徴とする請求項１に記載のめくり具。
【請求項３】
粘着性を有する受けパット部材とともに使用することを特徴とする請求項１または２に記載のめくり具。
【発明の詳細な説明】
【技術分野】
【０００１】
本発明は本の頁をめくったり、プラスチック製フィルムの開け口を開口をするためのめくり具に関する。
【背景技術】
【０００２】
本を読んでいるときに本の頁をめくろうとしても、本の紙が厚かったりすると、めくり難いことがある。また、読者が高齢となっていたりすると手指の水分、脂分が減り、頁が非常にめくりづらくなる。
【０００３】
このような場合に、指先に唾をつけ頁をめくったりすることがよく行われている。しかし、このように指先に唾をつけると、この唾が本に移り非常に不衛生であり、また、この唾がシミ等になった場合には他の人が本を開いたときに極めて不快に感じたりする。
【０００４】
また、スーパーの収納台等でプラスチック製の持ち帰り袋に商品を包装するときに、プラスチックの袋の口が密着して開けられずに苦労していることがよく見受けられる。
【０００５】
このような場合にも、指先に唾をつける等して開けているが、やはり不衛生である。また、収納台の近傍に濡れタオルがおかれていることもあるが、不特定多数の人々が使用するので衛生状の問題がある。
【発明の開示】
【発明が解決しようとする課題】
【０００６】
本の頁をめくり易くする方法として、指サックを指先に装着する方法がある（例えば、特許文献１〜４参照）。多数の頁を次々とめくるような場合には、指サックを装着するのもよいが、本を読みながらときたま頁をめくるような場合に、その都度、指サックを付けることは非常に繁雑であるし、指サックを付けたままで本を読むと指サックが邪魔に感じる。また、指サックをして本の頁をめくる場合には、手が自由に動かせる場合にはよいのであるが、やはり高齢となって手が必ずしも自由でない人等にとっては指サックではあまり自由にめくることができない。
【０００７】
また指サックに代わるものとして、小さなめくり具を手の指の先端に持って、それで頁をめくるようにすることも提案されている（例えば、特許文献６〜１０参照）。しかしながら、やはり手の指で頁めくり補助具を持って頁をめくるということは手先がかなり自由でないと使いづらいものである。
【０００８】
更に、最近は銀行のＡＴＭやコピー機等の機械等において冊子状の通帳や本の頁を自動的にめくるための装置が種々提案されている（例えば、特許文献１１〜１３参照）。しかしながら、このような装置は、日常生活において人が本の頁をめくるような場合に使用するには、大掛り過ぎて適していない。
【０００９】
本発明は上述したような問題点に鑑みて、簡単な構成で、手が多少不自由でも日常生活に支障がないように使用にすることができる、本の頁をめくったり、フィルムの開け口を開けたりするためのめくり具を提供するものである。
【００１０】
【特許文献１】実公平７−１９８１９号公報、
【特許文献２】実公平８−５８２１号公報
【特許文献３】実用新案登録第２５０４０６６号公報
【特許文献４】実用新案登録第２５０４４２８号公報
【特許文献５】特開平１１−１５７２５０号公報
【特許文献６】実開平１−１０６２６８号公報
【特許文献７】実開平１−１０６２６９号公報
【特許文献８】実開平１−１１０９７１号公報
【特許文献９】実開平１−１３９５７２号公報
【特許文献１０】実開平１−１０６２６６号公報
【特許文献１１】実開昭６３−８７０５５号公報
【特許文献１２】特開２０００−２９６６８４号公報
【特許文献１３】特開２００２−３４７３６８号公報
【課題を解決するための手段】
【００１１】
本発明は上述した課題を、手で握るようにした柄と、一端が該柄に連結され「く」の字状に延びる連結部材と、該連結部材の反柄側に取着されたゴム部材とからなることを特徴とするめくり具により達成する。特に、連結部材が９０°以上の角度をなして「く」の字状をなしていることが好ましい。
【発明の効果】
【００１２】
本発明によれば、本の場合には、手でめくり具の柄を持ち、連結部材の先端に取着されたゴム部材を本の頁の角（隅）に押し当てて、本の手元から離れた位置から手前側へ対角線状に沿ってゴム部材を移動させることによって頁をめくることができる。本発明のめくり具は利き手に関係しないので、右利きの人も左利きの人も使用できる。
【００１３】
また、本発明を用いてフィルム袋の開け口を開口する場合には、フィルムの下にゴム等の摩擦が大きく適度の粘着性を有する受けパット部材を敷き、その上に開口部が密着しているフィルム袋を置き、その袋の端から本発明のめくり具を移動させることによって、適度な摩擦力が両フィルム面の間に作用し、極めて容易に開口部のフィルムがめくれて、袋を開けることができる。
【００１４】
特に、本発明においては、柄の先端に「く」の字状の連結部材を介してゴム部材が取付けられているために、「く」の字の形状であることによりゴム部材が自然に本や袋に接圧する。従って、押付け具合を特別に調整しなくとも、適度の圧力でゴム部材が本の頁やフィルムに押し当てられるために、丁度よい具合に頁や袋を開けることができる。
【００１５】
また、本発明のめくり具では柄を軽く握って連結部材を介して繋がっているゴム部材を軽く動かせばよく、手が不自由な人でも頁をめくったり、袋の口を開いたりすることが容易にできる。また、本発明のめくり具を用いることにより、手が不自由な人のリハビリにもなる。
【００１６】
また、本発明のめくり具を料理のレシピの頁めくり具として用いる場合には、料理をすることにより手が汚れていても、レシピを汚すことなく頁をめくることができる。
【発明を実施するための最良の形態】
【００１７】
以下、添付図面を参照して本発明を詳細に説明する。図１は本発明に係るめくり具１の斜視図であり、符号２は柄を示し、柄２は木またはプラスチックによって作られている。木製の柄２の場合には、木肌をそのまま用いて木のぬくもりの感触を生かしてもよいし、適宜塗料を塗布して汚れを防止してもよい。柄２の長さは手の掌の幅と丁度同じ位か若干大きいものとすることが好ましい。
【００１８】
また、柄２の断面形状は円形断面でもよいし、六角形または八角形等の多角形形状としてもよいが、手で握ったときに丁度握れるような大きさとし、握り易い形状とすることが好ましい。
【００１９】
この柄２の中心部にステンレススチール等の金属またはプラスチック製の丸棒または角棒状の連結部材３の一端部が装着され、連結部材３が柄２から延びている。この連結部材３は長手方向の途中から「く」の字状に折曲げられている。この「く」の字状の折曲げは真直ぐな状態から高々９０°までとし、すなわち、直角までは曲がらないようにすることが好ましい。
【００２０】
連結部材３の反柄側の先端にはゴム部材４が取着されている。ゴム部材４は表面がつるつるした滑り易いものではなく、少々粘着性または摩擦性があるものが好ましい。ゴム部材４の形状としては特に限定はされず、円柱形状、角柱形状等とできるが、めくり具１がめくる本の頁や袋のフィルム面に点状または線状に接触するようにすると、面状に接触する場合に比べて軽く当てるだけでめくることができるので好ましい。
【００２１】
この連結部材３の長さは、めくり具１の柄２を持った状態で先端のゴム部材４が本の頁所望の位置に当てられるようにする。
【００２２】
上述した構成からなる本発明のめくり具１を用いて本の頁をめくる場合について図２を参照して説明する。めくり具１の柄２の部分を手で持ち、先端のゴム部材４を軽く本５の頁に当てる。この場合に本５の頁のめくる人の側から見て遠い角の辺りにゴム部材４を置き、ゴム部材４を軽く本５に当てたままの状態で、手前側に向けて本５の上を矢印ａで示すように対角線状に移動させる。これにより、めくり具１の連結部材３およびゴム部材４の重さにより適当な重さが掛り、本５に適度な圧力が作用する。特にゴム部材４を、例えば円柱状とすることにより点接触に近い状態とすることにより適度な圧力が本５に掛り、ゴム部材４を移動させることによって本５の頁をスムーズに開くことができる。
【００２３】
また、料理をしているときにレシピを開く場合も同様に操作することによってレシピの頁を汚すことなく、料理によって例えば小麦粉を捏ねたりして汚れている手でも柄２の部分に小麦粉が付くだけであって、レシピは汚すことなく頁をめくることができ、料理がスムーズに行える。
【００２４】
また、本発明に係るめくり具１を用いてプラスチックフィルム製の袋６の口を開口する場合について、図３を参照して説明する。先ず、開口する袋６の下にゴム等の適度の摩擦および粘着性を有する材料製の受けパット部材７を置く。袋６の口の外側に近い部分のフィルムの上にめくり具１のゴム部材４を当てる。次にゴム部材４を矢印ｂで示すように袋６の口に対してほぼ直角方向に移動させることによって、下側のフィルムは受けパット部材７によりそのままの位置に保持され、上側のフィルムはめくり具１とともに矢印ｂ方向に移動して、袋６の口が開いてくるので簡単に開けることができる。
【００２５】
本発明のめくり具１は、本５をめくる場合には手元に置いておき、めくる頁がくるたびに、そのめくり具１を使って開けるようにすることが好ましい。また、プラスチックフィルムの開口をするためのめくり具１として使用する場合には、このようなめくり具１を持ち歩くことはかえって邪魔なので、例えば、スーパーの商品収納台の近傍に、開口のための受けパット材７とともにめくり具１を置いておき、開口するときにそのめくり具１を使用することによって袋の口を簡単に開けることができる。
【図面の簡単な説明】
【００２６】
【図１】本発明に係るめくり具の一実施例の斜視図である。
【図２】本発明に係るめくり具を用いて本の頁をめくる状態を示す斜視図である。
【図３】本発明に係るめくり具を用いてプラスチックフィルム製の袋の口を開ける状態を示す斜視図である。
【符号の説明】
【００２７】
１  めくり具
２  柄
３  連結部材
４  ゴム部材
５  本
６  フィルム製袋
７  受けパット部材
【図１】
2006168237.tif 000003
【図２】
2006168237.tif 000004
【図３】
2006168237.tif 000005